(57)【要約】【課題】金属板を保護し、且つ、給電ケーブルの接続を可能とする部分の樋体の外方への突出を抑制し、簡単な構成で給電部の表面の露出面を形成できる。【解決手段】雨水を流すための樋体１と、この樋体１の表面に重複されるアンテナ部２を有する金属板３に被覆フィルム４をラミネートして形成したアンテナ板５と、前記アンテナ部２に設けた給電部９とを備える。前記給電部９の表面を前記被覆フィルム４が除去された露出面１６とする。前記露出面１６の周囲に前記被覆フィルム４を剥離するために切断手段で被覆フィルム４を切り込んだ切り込み跡６が残存する。【選択図】図１
2012195861.tif 000002
【特許請求の範囲】
【請求項１】
雨水を流すための樋体と、この樋体の表面に重複されるアンテナ部を有する金属板に被覆フィルムをラミネートして形成したアンテナ板と、前記アンテナ部に設けた給電部とを備え、
前記給電部の表面を前記被覆フィルムが除去された露出面とし、前記露出面の周囲に前記被覆フィルムを剥離するために切断手段で被覆フィルムを切り込んだ切り込み跡が残存していることを特徴とするアンテナ付き樋。
【請求項２】
アンテナ部を有する金属板の表面に被覆フィルムを接着するに当り、
前記金属板の前記アンテナ部の給電部となる部位に、スペーサを介してこのスペーサと前記金属板を非接着とした状態で前記被覆フィルムを前記金属板の表面に接着し、
その後、前記切断手段で前記スペーサの外周に沿って前記被覆フィルムに切り込みを入れ、
前記スペーサ及び前記被覆フィルムの前記スペーサに対応した部分を除去して前記給電部を露出させて周囲に前記切断手段による切り込み跡が残存する露出面を形成することを特徴とするアンテナ付き樋に用いるアンテナ板の製造方法。
【発明の詳細な説明】
【技術分野】
【０００１】
本発明は、アンテナ付き樋及びアンテナ付き樋に用いるアンテナ板の製造方法に関するものである。
【背景技術】
【０００２】
特許文献１には、既に施工されている竪樋の外面にアンテナ部を取付ける技術が開示されている。
【０００３】
このアンテナ部は、半円筒状の折り返し部の側方に半円筒状の給電部を突出した導電体からなるアンテナ素体を２枚組み合わせて構成される。
【０００４】
アンテナ部は、既に施工されている竪樋の長手方向の中間部の外面側に、２枚のアンテナ素体の折り返し部を配置し、ねじにより２枚のアンテナ素体を連結することで、竪樋に取付ける。
【０００５】
アンテナ部を竪樋外面側に取付けた状態で、半円筒状の給電部が竪樋の外面から側方に突出する。この突出した給電部の突出先端には、端子板がねじ止めされており、端子板に給電ケーブルの端部が接続される。
【先行技術文献】
【特許文献】
【０００６】
【特許文献１】特開平１−１６８１０１号公報
【発明の概要】
【発明が解決しようとする課題】
【０００７】
特許文献１に示された従来例は以下の問題点がある。
【０００８】
竪樋の外面に導電体からなるアンテナ素体が取付けられるので、アンテナ素体が露出し、錆等が発生しやすくアンテナ性能の低下のおそれがある。
【０００９】
また、給電部、端子板が竪樋外面から側方に突出しているため、竪樋の外面から給電ケーブルとの接続部分までの突出距離が長くなり、竪樋としての外観を損ね、建物の価値が低下し、また、給電部への給電ケーブルの接続部分に人や物が引っ掛かりやすい。
【００１０】
本発明の目的は、金属板を保護し、且つ、給電ケーブルの接続を可能とする部分の樋体の外方への突出を抑制し、簡単な構成で給電部の表面の露出面を形成できるアンテナ付き樋及びアンテナ付き樋に用いるアンテナ板の製造方法を提供するにある。
【課題を解決するための手段】
【００１１】
本発明のアンテナ付き樋は、雨水を流すための樋体と、この樋体の表面に重複されるアンテナ部を有する金属板に被覆フィルムをラミネートして形成したアンテナ板と、前記アンテナ部に設けた給電部とを備え、前記給電部の表面を前記被覆フィルムが除去された露出面とし、前記露出面の周囲に前記被覆フィルムを剥離するために切断手段で被覆フィルムを切り込んだ切り込み跡が残存していることを特徴とする。
【００１２】
また、アンテナ付き樋に用いるアンテナ板の製造方法は、アンテナ部を有する金属板の表面に被覆フィルムを接着するに当り、前記金属板の前記アンテナ部の給電部となる部位に、スペーサを介してこのスペーサと前記金属板を非接着とした状態で前記被覆フィルムを前記金属板の表面に接着し、その後、前記切断手段で前記スペーサの外周に沿って前記被覆フィルムに切り込みを入れ、前記スペーサ及び前記被覆フィルムの前記スペーサに対応した部分を除去して前記給電部を露出させて周囲に前記切断手段による切り込み跡が残存する前記露出面を形成することを特徴とする。
【発明の効果】
【００１３】
本発明は、金属板が被覆フィルムで被覆されることで、金属板を保護して錆の発生などを抑制し、アンテナの性能の低下を抑制できる。給電部の表面が露出面となっていることで、給電ケーブルの接続を可能とする部分の樋体の外方への突出を抑制し、接続部分に人や物が引っ掛かったりするのを抑制でき、また、簡単な構成で給電部の表面の露出面を形成できる。
【図面の簡単な説明】
【００１４】
【図１】（ａ）（ｂ）（ｃ）（ｄ）は本発明に用いるアンテナ板の製造順序を示す説明図である。
【図２】本発明の一実施形態の要部拡大斜視図である。
【図３】同上の分解斜視図である。
【図４】図２のＡ−Ａ線の拡大断面図である。
【図５】同上の一部省略全体斜視図である。
【図６】同上の一部破断した斜視図である。
【図７】同上に用いるアンテナ板を示し、（ａ）は表面側から見た斜視図であり、（ｂ）は背面側から見た斜視図である。
【図８】同上に用いる取付部材の斜視図である。
【図９】同上の施工状態を示す側面図である。
【発明を実施するための形態】
【００１５】
添付図面に基づいて一実施形態を説明する。
【００１６】
アンテナ付き樋２２は、基本的構成要素として、雨水を流すための樋体１と、この樋体１の外面に重複されるアンテナ板５を備える。
【００１７】
添付図面の実施形態では、アンテナ付き樋２２は、更に、筒状をした樋体１を覆う外筒部２３を備えることで二重筒構造となっており、また、長手方向の端部に、樋体１に連通接続する接続体２４を備える。
【００１８】
アンテナ板５は、アンテナ部２を有する金属板３を被覆フィルム４で被覆して形成される。
【００１９】
アンテナ部２は、導電性の縦長矩形状の薄い金属板３（金属箔も含まれる）に樋体１の軸方向に沿って長く形成されたスロット２８を設けたスロットアンテナにより構成される。
【００２０】
図７の実施形態では、金属板３に形成するアンテナ部２にはスロット２８が上下方向に複数並べて設けられており、隣接するスロット２８同士は細溝２５で接続されている。各スロット２８は三角形の頂点を互いに突き合わせたようなボウタイ形状に形成されている。
【００２１】
アンテナ部２は、第一の周波数帯（例えば４７３〜６００ＭＨｚ）の電波を受信する第一の受信部２９と、第二の周波数帯（例えば６００〜７２０ＭＨｚ）の電波を受信する第二の受信部３０を有している。
【００２２】
第一の受信部２９は、スロット２８及び当該スロット２８の周縁部により構成される。第二の受信部３０は、このスロット２８に対し上下方向に隣接する鋼板部分により構成される。
【００２３】
第一の受信部２９を構成するスロット２８の上下方向の長さは、前記第一の周波数帯内の電波の電気的な半波長の長さと同じである。また、第二の受信部３０の周方向の長さは、前記第二の周波数帯内の電波の電気的な半波長の長さと同じである。
【００２４】
すなわち、第一の周波数帯内の中心周波数が５３６．５ＭＨｚであり、第一の周波数帯内の電波の電気的な半波長λ／２は約２８ｃｍであることから、各スロット２８の上下方向の長さは約２８ｃｍとなっている。また、第二の周波数帯の中心周波数が６６０ＭＨｚであり、第二の周波数帯内の電波の電気的な半波長λ／２は約２３ｃｍであることから、第二の受信部３０の周方向の長さは約２３ｃｍとなっている。
【００２５】
金属板３のスロット２８の両側の三角形の頂点部分がそれぞれ給電部９となっている。
【００２６】
被覆フィルム４は、例えばＰＥＴのような電気絶縁性を有する合成樹脂フィルムであり、この合成樹脂フィルムが金属板３の表裏両面又は表面側に重ねて接着されることで、金属板３が外部（少なくとも表面側）に露出しないように被覆フィルム４で被覆される。スロット２８部分も被覆フィルム４で被覆される。なお、被覆フィルム４の厚みは例えば、０．１〜０．３ｍｍであるが、これに限定されるものではない。
これにより、アンテナ部２を備えた金属板３を保護し、錆び等が発生しないようにできる。
【００２７】
被覆フィルム４は給電部９の表面に対応する部位が除去された露出面１６となっており、この露出面１６において、給電部９部分が露出する。アンテナ板５の給電部９部分には貫通孔７が形成される。
【００２８】
ここで、給電部９の表面に露出面１６を形成したアンテナ板５は以下のようにして形成される。
【００２９】
アンテナ部２を形成した金属板３（例えば亜鉛メッキ鋼板）の表裏両面又は表面に被覆フィルム４を接着剤１８で接着する際、金属板３の表面側においては、給電部９となる部位に、図１（ａ）のようにスペーサ１３を介在して、被覆フィルム４を金属板３に接着する。この場合、スペーサ１３は金属板３に対して接着されない。
【００３０】
その後、プレス、ポンチ、カッター等の切断手段１５で、図１（ｂ）のようにスペーサ１３の外周に沿って被覆フィルム４に切り込みを入れる。
【００３１】
その後、スペーサ１３及び被覆フィルム４のスペーサ１３に対応した部分を図１（ｃ）のように除去して給電部９を露出させ、露出面１６が形成される。
【００３２】
その後、図１（ｄ）のように表面が露出面となった給電部９と下層の被覆フィルム７を貫通する貫通孔７が形成される。
【００３３】
前記方法において、金属板３の表面に接着される被覆フィルム４は、図１（ａ）のように、金属板３の表面からスペーサ１３の表面の外端にかけて斜めに架け渡されることになり、この被覆フィルム４の斜めとなった部分１７は接着されない部分となる。
【００３４】
スペーサ１３の外周に沿って被覆フィルム４を切断手段１５で切り込むに当り、被覆フィルム４の接着されない部分である斜めとなった部分１７を切断するのが好ましい。
【００３５】
これによりスペーサ１３及び被覆フィルム４のスペーサ１３に対応した部分を除去する際、除去する被覆フィルム４が金属板３に接着されていないため、除去が容易に行える。
【００３６】
ところで、切断手段１５で被覆フィルム４を切断するには、切断を確実にするため、金属板３の表面に至るように切断される。したがって、金属板３の表面の露出面１６の周囲に切断手段１５で被覆フィルム４を切り込んだ切り込み跡６が残存する。これにより、被覆フィルム４を接着した後、被覆フィルム４の切り込み跡６に囲まれた部分に対応する部分が除去されたことが判明する。
【００３７】
このように、給電部９にスペーサ１３を介在して金属板３の表面に被覆フィルム４を接着し、その後、スペーサ１３の外周に沿って被覆フィルム４に切り込みを入れることで、簡単に給電部９の表面を露出させることができる。
【００３８】
給電部９の露出面１６には給電ケーブル１１が接続される。
【００３９】
給電部９に接続する給電ケーブル１１は同軸ケーブルにより構成され、内側の芯線３２の外側を芯線外皮部３３で覆い、芯線外皮部３３の外周に編線３４で覆い、更に編線３４を外側外皮部３５で覆うことで構成される。
【００４０】
給電ケーブル１１の端部は、外側外皮部３５を除去して編線３４の端部が露出した部分が形成され、更に、編線３４の端部より突出して芯線外皮部３３が露出する部分が形成され、更に、芯線外皮部３３の端部より芯線３２が突出するする部分が形成される。
【００４１】
給電ケーブル１１における芯線３２の端部が、芯線部側端子８を介して一方の給電部９に接続され、編線３４の端部が編線側端子１２を介して他方の給電部９に接続される。
【００４２】
芯線部側端子８、編線側端子１２の接続は、以下のようにして行われる。
【００４３】
一方の給電部９の露出面１６に芯線部側端子８を配置すると共に給電部９の裏面にナット１０を配置し、ビス１４を芯線部側端子８の孔から貫通孔７を通してナット１０に緩く螺合することで仮取付けをする。
【００４４】
次に、芯線外皮部３３の端部を両給電部９間に架け渡すように配置し、一方の給電部９の金属板３の露出部と芯線部側端子８との間に芯線３２の端部を差し込む。この状態で、芯線３２を給電部９の金属板３と芯線部側端子８とに電気的に接触させた状態で、ビス１４を締め付けて電気的、機械的に接続する。
【００４５】
次に、芯線外皮部３３の端部を両給電部９間に架け渡すように配置すると、編線３４の端部が他方の給電部９の金属板３の露出部に当接する。この状態で、編線３４の端部の露出部分に編線側端子１２を被せ、ビス１４を編線側端子１２の孔から貫通孔７を通してナット１０に螺合して、編線３４を給電部９の金属板３と編線側端子１２とに電気的、機械的に接続する。
【００４６】
前記のように、給電ケーブル１１を接続した状態のアンテナ板５は、水平断面Ｃ字状又は多角形状となるよう上下方向に一様に湾曲させて円筒状又は角筒状をした樋体１の外周面に巻いて重ね、接着や取付部材３１を用いて取付けられる。
【００４７】
添付図面に示す実施形態は、図８に示すような取付部材３１を用いて図５、図６に示すように取付けた例を示している。
【００４８】
前述のように給電部９に機械的、電気的に接続された給電ケーブル１１は樋体１の外面に巻付けられたアンテナ板５の外面に樋体１の軸方向に沿って配置される。
【００４９】
給電ケーブル１１は、軸方向に沿って配置するに当ってスロット２８を避けて配置される。
【００５０】
アンテナ板５を樋体１の外周面に取付けるための取付部材３１は、非導電性の合成樹脂のような非導電性材料により形成されている。また、図８のように、取付部材３１は、一対の半体３８の一端部同士を軸受部３９で回動自在に連結して構成され、一対の半体３８の他端部の係止部４０と被係止部４１が係止自在となっている。
【００５１】
取付部材３１は、給電ケーブル１１のアンテナ板５に対する位置を保持するケーブル保持部４２を備え、このケーブル保持部４２に給電ケーブル１１が保持される。
【００５２】
また、各取付部材３１は、径外方向に突出する複数の突出部を有する。本実施形態の取付部材３１は、軸受部３９と、係止部４０及び被係止部４１と、ケーブル保持部４２との計４箇所の突出部を有する。突出部は周方向に等間隔で配置されており、すなわち９０°ごとに径外方向に突出する。
【００５３】
外周にアンテナ板５を巻いた樋体１に外筒部２３を被せることで、二重筒構造のアンテナ付き樋２２が構成される。
【００５４】
外周にアンテナ板５を巻いた樋体１に外筒部２３を被せると、取付部材３１に突出部を設けているので、外筒部２３の略中心に樋体１と樋体１に設けられたアンテナ板５の中心が配置されると共に、外筒部２３の内周面に当接又は近接対向するようになる。
【００５５】
ここで、給電部９の表面を外部に露出する露出面１６としているので、給電部９の表面の露出面１６部分に給電ケーブル１１を接続すればよいので、給電ケーブル１１の給電部９への接続部分の樋体１からの外方への突出長さを短くすることが可能となる。
【００５６】
すなわち、実施形態において、給電ケーブル１１の端部を給電部９に機械的、電気的に接続する部分は、樋体１の外面から径方向の外側に、ナット１０、給電部９、芯線３２（又は編線３４）、芯線部側端子８（編線側端子１２）、ビス１４の頭部がコンパクトに積層された状態となり、樋体１の外面からビス１４の頭部までの突出長さを短くすることが可能となる。
【００５７】
したがって、ビス１４の頭部を、取付部材３１の突出部とほぼ同じ突出長さ又は短い突出長さとすることが可能となり、芯線部側端子８（編線側端子１２）を給電部９に機械的、電気的に接続する部分を、樋体１と外筒部２３との間のスペース内に配置することが可能となる。
【００５８】
このように、外筒部２３により芯線部側端子８（編線側端子１２）を給電部９に機械的、電気的に接続する部分が外部に露出しないように覆うことで、雨水、外気、太陽光に晒されず、劣化が抑制される。
【００５９】
また、芯線部側端子８（編線側端子１２）を給電部９に機械的、電気的に接続する部分に、人や物が引っ掛かるのが防止される。
【００６０】
二重筒構造のアンテナ付き樋２２は、長手方向の端部に、接続体２４が備えられ、上下の接続体２４に樋体１と、外筒部２３の上下方向の両端部が接続され、上下の接続体２４は樋体１に連通する。
【００６１】
樋体１の軸方向に沿った給電ケーブル１１は、接続体２４に設けた引出部４３に至り、給電ケーブル１１の端部に設けた接続具４４が引出部４３を構成する孔に嵌め込んで取付けられる。
【００６２】
接続具４４には、テレビ側ケーブル４５の端部に設けた接続具が電気的に接続される。このテレビ側ケーブル４５は、建物４６の外壁４７や軒天井４８から建物内に導入され、既存の建物４６内のテレビ側に接続される。
【００６３】
図９は、アンテナ付き樋２２が竪樋の一部として用いられた例を示している。図９において、符号４９は軒樋、５０は集水器、５１はエルボ、５２は呼び樋、５３は一般の竪樋を示している。
【００６４】
アンテナ付き樋２２を竪樋の一部として用いる場合、アンテナ付き樋２２の接続体２４を一般の竪樋５３やエルボ５１に接続し、筒状をした樋体１内に雨水を流す。
【００６５】
接続の際、アンテナ付き樋２２を軸芯を中心に回転して、アンテナ部２を最も強い受信方向に向ける。
【００６６】
前述の実施形態においては、ビス１４で接続する際に、芯線３２と芯線部側端子８を接続し、編線３４と編線側端子１２を接続した例を示したが、予め芯線３２に固着した芯線部側端子８をビス１４、ナット１０で一方の給電部９に接続し、予め編線３４に固着した編線側端子１２をビス１４、ナット１０で他方の給電部９に接続してもよい。
【００６７】
また、前述の実施形態においては、外筒部２３を設けた例で説明したが、外筒部２３を設けないものであってもよい。外筒部２３を設けない場合、金属板３は被覆フィルム４で覆われるので、金属板３は雨水、外気、太陽光にさらされず、アンテナ部２の劣化を抑制できる。
【００６８】
また、この場合も、芯線部側端子８（編線側端子１２）を給電部９に機械的、電気的に接続する部分の突出長さを短くでき、人や物が引っ掛かるのが抑制される。
【符号の説明】
【００６９】
１  樋体
２  アンテナ部
３  金属板
４  被覆フィルム
５  アンテナ板
６  切り込み跡
９  給電部
１３  スペーサ
１５  切断手段
【図１】
2012195861.tif 000003
【図２】
2012195861.tif 000004
【図３】
2012195861.tif 000005
【図４】
2012195861.tif 000006
【図５】
2012195861.tif 000007
【図６】
2012195861.tif 000008
【図７】
2012195861.tif 000009
【図８】
2012195861.tif 000010
【図９】
2012195861.tif 000011